(57)【特許請求の範囲】
【請求項１】
収納容器と該容器の口部に装着可能な操作部材と支持台とからなるトイレ用の洗浄液注出容器であって、
収納容器は、口部にシール筒を具えた中栓が嵌着されており、
操作部材は、操作レバーを突設した環状板と、容器口部に螺合される取着筒と、外周に螺旋溝を設けた調節片とを具えており、
支持台は、内部を空気流入路とし、外周面に長さの異なる縦溝を液注出路として刻設し、中栓のシール筒に嵌合する流量調節筒と、内面に螺旋凸条を設けた上下動案内部材とを具えており、
操作レバーを廻動させることによって容器を上下動させ、長さの異なる縦溝の端部を順次開放するようにしたことを特徴とするトイレ用の洗浄液注出容器の流量調整機構。
【請求項２】
螺旋溝が広巾に形成され、その上辺、または下辺が螺旋凸条と係合し、調節片を上下動案内部材に対して上下に移動可能としたことを特徴とする請求項１記載のトイレ用の洗浄液注出容器の流量調整機構。
【請求項３】
支持板に調節片が挿嵌される扇形の開口を設け、調節片の左右の移動範囲を規制するようにしたことを特徴とする請求項１，２記載のトイレ用の洗浄液注出容器の流量調整機構。
【発明の詳細な説明】
【０００１】
【発明の属する技術分野】
本発明は、消臭洗浄液等の容器における流量調整機構に関する。
【０００２】
【従来の技術】
消臭洗浄剤等を収納した容器を、トイレの貯水タンクの水受け皿上に置いて、貯水タンクに供給する給水管の蛇口からの水を通じるようにした消臭洗浄剤容器は、従来より知られている。
また、消臭洗浄液を収納した容器を用い、内容液を流出孔から常時流出するようにした消臭洗浄液注出容器であって、内容液を使い切ったときに、支持台に取替用の新しい収納容器を取付けるようにした消臭洗浄液容器も従来より知られている。
【０００３】
【発明が解決しようとする課題】
しかしながら、前者の消臭洗浄剤容器は、水溶性の固形物を用いているため、蛇口からの水が容器に直接降りかからないときには、洗浄剤を流出させることができず、また、洗浄剤の流出量を調節することはできないという問題があった。
【０００４】
また、後者の洗浄液注出容器は、使用開始時に容器と保持台の相対位置を調節し、内容液の流出量を調節するようにしていたが、使用中においては簡単に調節できるようにはなっていなかった。
そのため、トイレの使用者が家族と時たま訪れる訪問客だけで使用者がほぼ一定しているときはよいが、多数の訪問客、泊まり客があるときには使用者の増加に対応して内容液流出量を調節することができず、洗浄液が不足するという問題があった。
また、家族の誰かが家を留守にしてトイレを使用しないとき、家族全員が旅行するときには、内容液を無駄に流しておくという問題があった。
【０００５】
取替容器は、樹脂材料の節減のために薄肉にすることが望ましいが、そうすると強度が落ち、支持台への取付が簡単にできず、容器の支持も不安定になるという問題が生じた。
【０００６】
本発明は、上記の問題点を考慮して、使用者の増減に応じて消臭洗浄液の流出量を調節できるようにした容器であって、取替操作を容易にするとともに、支持台に安定して取着するようにしたトイレ用洗浄液注出容器を提供することを目的とする。
【０００７】
【課題を解決するための手段】
本発明は、上記の課題を解決するため、トイレ用の洗浄液注出容器の流量調整機構として、収納容器と該容器の口部に装着可能な操作部材と支持台とからなるトイレ用の洗浄液注出容器であって、収納容器は、口部にシール筒を具えた中栓が嵌着されており、操作部材は、操作レバーを突設した環状板と、容器口部に螺合される取着筒と、外周に螺旋溝を設けた調節片とを具えており、支持台は、内部を空気流入路とし、外周面に長さの異なる縦溝を液注出路として刻設し、中栓のシール筒に嵌合する流量調節筒と、内面に螺旋凸条を設けた上下動案内部材とを具えており、操作レバーを廻動させることによって容器を上下動させ、長さの異なる縦溝の端部を順次開放するようにしたことを特徴とする構成を採用する。
【０００８】
調節片および上下動案内部材の実施態様として、螺旋溝が広巾に形成され、その上辺、または下辺が螺旋凸条と係合し、調節片、上下動案内部材に対して上下に移動可能としたことを特徴とする構成を採用し、さらに、支持板に調節片が挿嵌される扇形の開口を設け、調節片の左右の移動範囲を規制するようにしたことを特徴とする構成を付加する。
【０００９】
【発明の実施の形態】
次に、本発明の実施形態について、図面を参照して説明する。
図１において、Ａは消臭洗浄液、或いは芳香洗浄液、殺菌洗浄液等の収納容器、Ｂは操作部材、Ｃは容器の支持台である。
容器Ａは、図１，２に示すように、口部１と肩部２、胴部３と底部４とからなっており、口部１外周に膨出部５を突設した縮径部６と、ねじ７とネックリングを設けた拡径部８とからなっている。
容器Ａの口部１には、中栓Ｄが嵌着されており、仮キャップＥが螺着されている。
【００１０】
図２に示すように、中栓Ｄは、外筒１０と上壁１１、内筒１２とからなっており、外筒１０内周には、口部１の膨出部５の下側に係合する膨出環１３が設けられている。
内筒１２は、上筒部１４と、それより縮径されたシール筒１５とからなっており、上筒部１４の外周は、容器Ａの口部１内周に嵌合され、容器Ａ内部を密封している。
【００１１】
仮キャップＥは、頂壁１６と側周壁１７とからなっており、頂壁１６には、中栓Ｄの上筒部１４に嵌合する密封リング１８が垂設され、側周壁１７内周には、容器Ａ口部１のねじ７に螺合するねじ１９が刻設されている。
【００１２】
図３に示すように、操作部材Ｂは、環状板２０と、その内周縁に沿って立設された取着筒２１と、環状板２０の外周縁近くに等間隔をおいて垂設された四つの円弧状の調節片２２とを具えている。
環状板２０の外周には、先端に球状の摘み２３を具えた操作レバー２４が突設されており、取着筒２１の内周には、容器Ａ口部１のねじ７に螺合するねじ２５が刻設されている。
【００１３】
調節片２２の外周には、調節片２２の両側端縁の間に延びる上下に広巾とした螺旋溝２６が刻設されており、各調節片２２の螺旋溝２６両側端縁における始端位置、リード角を同一としている。
【００１４】
図４，５に示すように、支持台Ｃは、支持板３０と、該支持板３０の中央に立設された有頂の流量調節筒３１、および中間部に立設された四つの円弧状の上下動案内部材３２とを具えている。
支持板３０には、流量調節筒３１と上下動案内部材３２との間に扇形の開口３３が穿孔されており、下面に上下動案内部材３２に対応する位置に支持片３４が垂設されている。
【００１５】
流量調節筒３１は、その内部は空気流入路３５となっており、頂壁には、空気流入孔３６が穿孔されている。
流量調節筒３１の外周下方部は拡径部３７となっており、液流出路を形成する長縦溝３８、短縦溝３９が周方向に一定間隔をおいて刻設されている。
縦溝の数は、図では一対としているが、複数対であってもよい。
上下動案内部材３２は、その内周に両側縁の間で延び、リード角を調節片２２の螺旋溝２６と同じくし、螺旋溝２６に係合する細巾の螺旋凸条４０が設けられている。
【００１６】
調節片２２と上下動案内部材３２の位置関係について述べると、図４〜６に示すように、上下動案内部材３２の角度範囲は、扇形の開口３３の角度と同一で、調節片２２の角度範囲よりも大きくなっており、調節片２２の角度範囲は隣り合う上下動案内部材３２の間の角度と同一もしくはそれより小さくしている。
【００１７】
次に、螺旋溝２６と螺旋凸条４０との位置関係について説明すると、調節片２２の下端２２ａが、支持台Ｃの支持板３０に接したときに、図６（ａ）に示すように、細巾の螺旋凸条４０の先端部４０ａが、螺旋溝２６の上辺２６ａ、下辺２６ｂの左側端縁の間に位置するようになっており、調節片２２を廻動させ、図６（ｂ）に示すように、右側縁が開口３３内に位置するときには、螺旋溝２６の下辺２６ｂは、螺旋凸条４０の下面に係合し、上辺２６ａは、螺旋凸条４０の上面より少なくともほぼ支持板３０の厚さだけ離れて位置している。
この時点では、調節片２２は支持板３０に妨げられないので、螺旋溝２６上辺２６ａが螺旋凸条４０の上面に接するまで、調節片２２を開口３３内に押し込むことができる。
【００１８】
さらに、調節片２２を廻動させると、螺旋溝２６上辺２６ａは、螺旋凸条４０の上面に案内され、図５（ａ）、図６（ｃ）に示すように、上下動案内部材３２の上端が操作部材Ｂの環状板２０に接するまで、調節片２２は下方に移動させることができる。
【００１９】
次に、本容器の使用態様と作用効果について説明する。
容器Ａの使用にあたっては、図１に示すように、まず、仮キャップＥを外して容器口部１を開き、操作部材Ｂを容器口部１に螺着する。
【００２０】
次いで、支持台Ｃを、その流量調節筒３１を容器Ａ内の中栓Ｄの内筒１２内に挿入し、隣り合う上下動案内部材３２の間に調節片２２が位置するようにして、支持板３０が調節片２２の天面に接するまで押し込み、次いで、支持台Ｃを時計方向に廻動させると、調節片２２の螺旋溝２６の下辺２６ｂが螺旋凸条４０に接するまで支持台Ｃを廻動させることができ、調節片２２が扇形の開口３３の角度範囲にくると、螺旋凸条４０が螺旋溝２６の上辺２６ａに接するまで支持台Ｃが下降される。
【００２１】
さらに、廻動させ、調節片２２の右側端が扇形の開口３３に衝接するとともに、上下動案内部材３２の天面が操作部材Ｂの環状板２０に接するまで押し込まれ、液注出容器がセットされる。
このときには、長縦溝３８、短縦溝３９はいずれも中栓Ｄの縮径されたシール筒１５によってシールされる。
【００２２】
次に、図７（ａ）に示すように、容器Ａを倒立させてトイレの貯水タンク上に置き、操作部材Ｂの操作レバー２４を持って、支持台Ｃに対して操作部材Ｂを容器Ａとともに反時計方向に廻動させると、上下動案内部材３２の螺旋凸条４０と調節片２２の螺旋溝２６との係合によって、操作部材Ｂとともに容器Ａが上昇される。
操作レバー２４を、支持台Ｃの上下動案内部材３２の中央部に位置するまで廻動させると、図８（ｂ）に示すように、長縦溝３８の下端がシール筒１５より露出され、流出孔３８ａが形成され、流出孔３８ａより内容液が流出する。
【００２３】
さらに、操作レバー２４を上下動案内部材３２の右端まで廻動させると、図７（ｂ）、図８（ｃ）に示すように、短縦溝３９の下端がシール筒１５より露出され、流出孔３９ａが形成され、流出孔３８ａとともに二つの流出孔が開孔され、内容液の流量が増加する。
その際、調節片２２の移動は、扇形の開口３３の側端に衝接することによって規制されるので、開口３３がストッパーとして作用し、操作レバー２４の廻動が阻止される。
【００２４】
したがって、操作レバー２４の廻動位置を調節することによって、長縦溝３８のみ、或いは長縦溝３８、短縦溝３９の双方の下端を開くことによって流出する内容液の流量を二段に調整することができる。
【００２５】
容器内の消臭洗浄液を使い切ったときには、新しい収納容器と取替える。
その際、操作部材Ｂを取外し、新しい容器を取着するが、その取着は、容器口部１へ螺合するだけであるから、容易に取着することができる。
また、操作部材Ｂの螺合のためには、容器口部１として、仮キャップＥの取外しに必要な強度があればよいから、容器の樹脂材料を減量して薄肉にすることも可能である。
【００２６】
前記実施形態では、縦溝を長短二種の縦溝としたが、この中間に中間の長さの縦溝を配設して流量を三段に調整するようにしてもよい。
さらに、縦溝の本数、縦溝の形状等を変更することによって、流量を複数段に調節するようにしてもよい。
【００２７】
また、内容液の粘度に応じ必要な流量を得るため、縦溝の深さ、巾、流出孔の大きさ、数を変えること等は、適宜選択できることである。
【００２８】
【発明の効果】
本発明は、上記のように構成されているから、次の効果を奏する。
操作レバーを廻動させることよって、支持台に対して容器を上昇させ、支持台に立設した流量調節筒の複数の流出孔を順次開孔するようにしたから、流量の調節が簡単にできるようになった。
したがって、洗浄液容器の使用中に、使用者の増減に応じて流量を調整し、洗浄、消臭液の流出を適性化し、洗浄液を無駄なく使用できるようになった。
【００２９】
また、取替容器の取替えにあたって、操作部材を容器口部に螺着し、操作部材を支持台に取着するようにしているから、容器の取替えが簡単であり、容器を操作部材に確実に締着することができ、操作部材、および支持台に対して容器を安定して装着できる。
【図面の簡単な説明】
【図１】本発明液注出容器の一部断面立面図である。
【図２】容器の説明図で、（ａ）はキャップの一部断面立面図、（ｂ）は容器本体の一部断面立面図である。
【図３】操作部材の説明図で、（ａ）は一部断面立面図、（ｂ）は底面図である。
【図４】支持台の説明図で、（ａ）は斜視図、（ｂ）は上面図である。
【図５】  操作部材と支持台の組立説明図で、（ａ）は一部断面立面図、（ｂ）は底面図である。
【図６】  調節片と上下動案内部材との位置関係説明図で、（ａ）は係合前、（ｂ）は上昇位置、（ｃ）は下降位置の説明図である。
【図７】  容器使用時の説明図で、（ａ）は載置時、（ｂ）は流量調整時の説明図である。
【図８】  容器使用時の流出孔開閉の説明図で、（ａ）は流出孔閉鎖時、（ｂ）は一流出孔開孔時、（ｃ）は二流出孔開孔時の説明図である。
【符号の説明】
Ａ              収納容器
Ｂ              操作部材
Ｃ              支持台
Ｄ              中栓
Ｅ              仮キャップ
１              口部
１０            外筒
１１            上壁
１２            内筒
１３            膨出環
１４            上筒部
１５            シール筒
２０            環状板
２１            取着筒
２２            調節片
２２ａ          下端
２３            摘み
２４            レバー
２５            ねじ
２６            螺旋溝
２６ａ          上辺
２６ｂ          下辺
３０            支持板
３１            流量調節筒
３２            上下動案内部材
３３            開口
３４            支持片
３５            空気流入路
３６            空気流入孔
３７            拡径部
３８            長縦溝
３８ａ、３９ａ  流出孔
３９            短縦溝
４０            螺旋凸条
【図１】
0003857158.tif 000002
【図２】
0003857158.tif 000003
【図３】
0003857158.tif 000004
【図４】
0003857158.tif 000005
【図５】
0003857158.tif 000006
【図６】
0003857158.tif 000007
【図７】
0003857158.tif 000008
【図８】
0003857158.tif 000009